(57)【要約】【課題】販売員等の負担を軽減して配置薬の配置期限の管理をしやすくすること。【解決手段】  シールの表面に配置薬の配置期限情報が格納された二次元コードを表記すると共に、二次元コードの周囲に配置期限の標章を併記してあることを特徴とする配置薬用シール。二次元コードには、配置薬の品名情報、価格情報、および個々の識別情報が格納されている。二次元コードには、配置薬の販売経路情報が格納されている。シールの表面、二次元コード、又は配置期限の標章に１年ごとに異なる色彩を付け、５色の色彩を２回繰り返すことによって又は１０色の色彩によって、配置期限のうち年の下一桁を表示する。【選択図】      図１
2010026082.tif 000002
【特許請求の範囲】
【請求項１】
シールの表面に配置薬の配置期限情報が格納された二次元コードを表記すると共に、二次元コードの周囲には配置期限の標章を併記してあることを特徴とする配置薬用シール。
【請求項２】
二次元コードには、配置薬の品名情報、価格情報、および個々の識別情報が格納されていることを特徴とする請求項１記載の配置薬用シール。
【請求項３】
二次元コードには、配置薬の販売経路情報が格納されていることを特徴とする請求項２記載の配置薬用シール。
【請求項４】
シールの表面、二次元コード、又は配置期限の標章に１年ごとに異なる色彩を付け、５色の色彩を２回繰り返すことによって又は１０色の色彩によって、配置期限のうち年の下一桁を表示することを特徴とする請求項１、２、又は３記載の配置薬用シール。
【発明の詳細な説明】
【技術分野】
【０００１】
本発明は、配置薬の容器、例えば袋、瓶、箱等に貼るシールに関する。
【背景技術】
【０００２】
配置販売業は、販売員（配置員）が消費者の家庭や企業を訪問し、医薬品の入った配置箱を配置し、消費者が使用した医薬品の代金を次回の訪問時に清算し、集金する仕組みを利用した商いである。販売員が配置した薬は、配置薬と呼ばれる。
【０００３】
従来の配置薬は、図３に示すように容器の目立たない箇所に配置期限と製品ロット番号などを印字してある。この配置期限が過ぎる前に、販売員が消費者を再訪するのが本来、理想的である。そのために販売員は配置期限を管理すべきである。また、配置薬業者の本店や営業所等の倉庫に配置薬が保管されている場合には、倉庫内の配置薬の配置期限を配置薬業者が管理すべきである。
【０００４】
しかしながら、管理には、印字された配置期限を用紙に書き写す等しなければならず、販売員や配置薬業者にとっては煩雑である。また、配置期限の印字位置および表記の仕方は、製薬メーカーの間で統一されていないことも、管理をためらわせる要因となっていた。それゆえ、現状では、販売員等は配置期限を管理しておらず、配置期限の切れた配置薬が配置されていることもある。
【０００５】
配置薬は身体の不調を回復させるものであるから、不調時においては食品と同等、あるいはそれ以上に大切な場合もあり、配置期限を管理しやすくすることは重要である。
【発明の開示】
【発明が解決しようとする課題】
【０００６】
本発明は上記実情を考慮して創作されたもので、その解決しようとする課題は販売員等の負担を軽減して配置期限の管理をしやすくすることである。
【課題を解決するための手段】
【０００７】
請求項１の発明は、シールの表面に配置薬の配置期限情報が格納された二次元コードを表記すると共に、二次元コードの周囲に配置期限の標章を併記してあることを特徴とする。
【０００８】
二次元コードには、配置薬の配置期限情報のみが格納されていても良いが、より充実した商品管理をするには、それ以外の情報が格納されていても良い。たとえば、請求項２の発明のように、二次元コードには、配置薬の品名情報、価格情報、および個々の識別情報が格納されていることである。
【０００９】
さらに充実した商品管理をするには、請求項３のようにすることが望ましい。即ち、二次元コードには、配置薬の販売経路情報が格納されていることである。
【００１０】
配置期限は、年、月で表され、文字で表記されていてもよいが、人間が直感で年の下一桁を把握するには、請求項４の発明のようにすることが望ましい。即ち、シールの表面、二次元コード、又は配置期限の標章に１年ごとに異なる色彩を付け、５色の色彩を２回繰り返すことによって又は１０色の色彩によって、配置期限のうち年の下一桁を表示することである。
【発明の効果】
【００１１】
請求項１の発明は、二次元コードを二次元コードリーダで読み取る作業だけで、二次元コードリーダが接続されたコンピュータに配置薬の配置期限を保存することができる。二次元コードリーダによる読み取り作業は、書き写し作業に比べて労力が大幅に軽減されることから、販売員等の負担にもならず、配置期限の管理をしやすくなる。従って、配置期限の切れた配置薬が配置されるのを予防できる。また、シールであるので、販売員等が所望の位置にシールを貼ることができ、貼る位置を特定することによって、二次元コードに併記された配置期限の表記箇所を把握しやすくなり、配置作業を迅速に行える。
【００１２】
請求項２の発明は、二次元コードに配置期限情報だけでなく、配置薬の品名情報、価格情報、および個々の識別情報が格納されているので、配置期限の管理を一段と詳細に行える。
【００１３】
請求項３の発明は、二次元コードには、配置薬の販売経路情報が格納されているので、販売経路を正確に把握でき、商品管理を一段と詳細に行える。
【００１４】
請求項４の発明は、１年ごとに異なる色彩を付したシール等を見るだけで、色から配置期限の年を直感的に把握できるので、細かな文字であれば見づらい場合であっても、現場において配置薬の配置期限を把握しやすい。
【発明を実施するための最良の形態】
【００１５】
本発明の配置薬用シールは図１、図２に示すように、配置薬の配置期限情報が格納された二次元コード１と、配置期限の標章２をシール３の表面に併記し、裏面に図示しない接着剤を付けてあるものである。使用前には裏面の接着剤の下に図示しない剥離紙が貼り付けられており、剥離紙を剥がしてからシール３を貼り付ける。
【００１６】
二次元コード１とは、横方向にしか情報を持たない一次元コード（バーコード）に対し、水平方向と垂直方向に情報を持つ表示方式のコードのことである。バーコードに比べ、より多くの情報をコード化でき、また印字面積を小さくできる。二次元コード１としては、ＱＲコード（マイクロＱＲコードも含む）、ＳＰコード、ベリーコード等が例示できる。特に、ＱＲコードにすれば、情報量によっては印字面積を１ｃｍ角以下にできるので、理想的である。また、二次元コード１と配置期限の標章２が併記されたシール３の全体を１．５ｃｍ角以下にできるので、貼る場所を見つけやすい。
【００１７】
二次元コード１に格納される情報は、配置薬の配置期限情報、品名情報、価格情報、製品ロット番号、個々の識別情報（たとえば同一製品ロットでもそれぞれを見分けられる連番など）、配置薬の販売経路情報（配置薬を最初に入庫した営業所等）などが格納されている。二次元コード１は、コンピュータに接続された二次元コードリーダで読み取り、各種の情報をコンピュータに保存する。個々の識別情報が付いているので、何回読み取っても一つの商品として把握され、商品の管理が正確に行える。二次元コードリーダで読み取る前、又は読み取った後に、消費者情報（氏名、住所など）をコンピュータの入力装置から入力し、二次元コードに格納された情報と関連付けてコンピュータに保存しておく。
【００１８】
標章２は、二次元コード１の周囲、より詳しくは二次元コード１から間隔をおいて下側に併記されている。標章２とは、文字、図形、記号若しくはこれらの結合又はこれらと色彩との結合のことである。たとえば、配置期限の標章２は図２（イ）のように西暦年と月を数字で、例えば「２０１０、１０」と表示する。このようにすれば、人間が目視で配置期限の年、月を確認できる。また、このとき、２０１０年は黒色で「２０１０、１０」、２０１１年は赤色で「２０１１、１０」、２０１２年は緑色で「２０１２、１０」等と色分けしても良い。このようにすれば、直感的に配置期限の年を確認できる。
【００１９】
配置期限の標章２の別例は図２（ロ）のように月のみ数字で、たとえば「１０」と表示し、２０１０年は黒色、２０１１年は赤色という具合に西暦年を月の数字の色で表示するものである。
【００２０】
配置期限の標章２の別例は、図２（ハ）のように年および月を記号で、たとえば○と表示し、２０１０年は黒色の○、２０１１年は赤色の○、２０１２年は緑色の○、そして１〜３月は○を１個、４〜６月は○を２個、７〜９月は○を３個、１０〜１２月は○を４個横並びに表示するものである。○の代わりに、△、□、☆等を用いても良い。配置期限は製造日から最長５年であるので、最低５色以上あればよい。５色を２回繰り返すことによって、又は１０色によって、１０年単位で西暦年または和暦年の下一桁を確認できる。
【００２１】
配置期限の標章２を上記した内容としつつ、ＱＲコードに色付けして、販売員等が色から配置期限を把握できるようにしても良い。例えば、２０１０年は黒色のＱＲコード、２０１１年は赤色のＱＲコード、２０１２年は緑色のＱＲコードという具合である。細かな文字が見づらい場合であっても、色であれば把握しやすい。
【００２２】
さらに、配置期限の標章２を上記した内容としつつ、シール３に色付けして、販売員等が色から配置期限を把握できるようにしても良い。例えば、２０１０年は白色のシール、２０１１年は薄い赤色のシール、２０１２年は薄い緑色のシールという具合である。
【００２３】
上述の配置薬用シールは、配置薬販売事業者が配置薬を仕入れてから販売するまでの間に、販売員等によって配置薬の容器に貼られる。図１では、容器４は、四角い箱であって、箱の表面を透明なラップフィルムで包装したものであり、このラップフィルムの上からシールを貼る。貼る箇所は、商品名や説明文（注意書き等も含む。）の邪魔にならない箇所とし、各配置薬で貼る場所を決めておくことが望ましい。具体的には、容器が袋や箱の場合は裏面に貼る。また、容器がビン類の場合は、キャップの平らな上面に貼る。ビン類は、１０本まとめて一つの梱包箱に収容されているのが一般的で、梱包箱の上蓋をはぐると、キャップの上面が見えるようになっている。キャップの上面であれば、シールを貼りやすいし、二次元コードリーダで読み取りやすい。なお、ビン類は５０本など箱単位で配置することが多く、梱包箱から容器を取り出して側面にシールを貼ると、それだけで非常に時間がかかり、その上、側面（曲面）に貼られたシールは二次元コードリーダで読み取り難い。
【００２４】
上述の配置薬用シールに付された配置期限の標章を見ることによって、販売員が自分のトランクに配置薬を収容するときに、配置期限別に配置薬を並べておくことができる。このようにすれば、次に配置する時、使用頻度に応じて配置期限が切れないように配置薬を配置することができ、非常に便利である。つまり、配置後すぐに配置薬を使用する消費者には、配置期限の短いものを配置し、配置してもあまり配置薬を使用しない消費者には配置期限の長いものを配置する。
【００２５】
配置薬販売事業者が、全ての配置薬の配置期限を管理する場合、配置薬を仕入れた段階ですぐに上述の配置薬用シールを貼り、仕入れ段階と、販売段階の２段階で二次元コードリーダで配置薬用シールを読み取ることが望ましい。このようにすれば、販売前の保管されている配置薬と、販売された配置薬の双方の配置期限を管理できる。
【図面の簡単な説明】
【００２６】
【図１】本発明の配置薬用シールの使用状態を示す一部拡大斜視図である。
【図２】（イ）（ロ）（ハ）図はシールの表示態様を示す説明図である。
【図３】従来の配置薬の表記を示す説明図である。
【符号の説明】
【００２７】
１二次元コード、２標章、３シール
【図１】
2010026082.tif 000003
【図２】
2010026082.tif 000004
【図３】
2010026082.tif 000005